(57)【要約】【課題】ＬＥＤパネルが故障した場合でも、表示スクリーン上での照度の違いを極力低減させることができるとともに、電源装置のサイズを小型化することができる内照式看板を提供する。【解決手段】内照式看板は、表面に画像が表示された透光性を有する表示スクリーンと、表示スクリーンを着脱自在に支持する支持基盤と、第１の方向に複数のＬＥＤが配列された長尺のＬＥＤパネルを、第１の方向に直交する第２の方向に複数配置して構成され、支持基盤に固定され、表示スクリーンを裏面側から照明する面状照明装置と、面状照明装置の複数のＬＥＤパネルにブレーカを介して電力を供給する電源装置とを備えている。そして、各々隣接していない２以上のＬＥＤパネルを１つの組として複数の組が作成され、ブレーカが作成された複数の組の各々に対応して設けられている。【選択図】図２
2011065062.tif 000002
【特許請求の範囲】
【請求項１】
表面に画像が表示された透光性を有する表示スクリーンと、
前記表示スクリーンを着脱自在に支持する支持基盤と、
第１の方向に複数のＬＥＤが配列された長尺のＬＥＤパネルを、前記第１の方向に直交する第２の方向に複数配置して構成され、前記支持基盤に固定され、前記表示スクリーンを裏面側から照明する面状照明装置と、
前記面状照明装置の複数のＬＥＤパネルにブレーカを介して電力を供給する電源装置とを備え、
各々隣接していない２以上のＬＥＤパネルを１つの組として複数の組が作成され、前記ブレーカが前記作成された複数の組の各々に対応して設けられていることを特徴とする内照式看板。
【請求項２】
前記複数のＬＥＤがマトリックス状に配置されており、
前記ＬＥＤから前記表示スクリーンに垂直な方向を軸として、前記ＬＥＤから照射された光が前記軸を中心として円錐状に広がる空間を立体角とし、前記ＬＥＤから照射された光の、前記表示スクリーンにおける相対光度が所定の値となる場合の立体角で円錐状に広がる空間が対角線上に位置する２つのＬＥＤの間で交差する位置に、前記表示スクリーンが配置されていることを特徴とする請求項１に記載の内照式看板。
【請求項３】
各々の前記ＬＥＤパネルの前記ＬＥＤが配列されていない側の面が、前記支持基盤の前記第２の方向に延びる支持部材にパネル固定具で固定されていることを特徴とする請求項１または２に記載の内照式看板。
【請求項４】
請求項３に記載の内照式看板のＬＥＤパネルを交換するに際し、
前記交換するＬＥＤパネルの前記パネル固定具を前記支持部材から外し、該交換するＬＥＤパネルを前記第１の方向に沿って第１の向きに移動させて前記支持基盤から取り外し、
新たなＬＥＤパネルを前記第１の方向に沿って前記第１の方向とは反対の第２の向きに移動させて前記交換するＬＥＤパネルが配置されていた位置に配置し、前記パネル固定具で前記支持部材に固定することを特徴とする内照式看板の管理方法。
【発明の詳細な説明】
【技術分野】
【０００１】
本発明は、夜間等であっても広告等の情報を伝えることができるように、看板となる画像が表示された表示スクリーンを内側（画像表示面の裏面側）から照明する内照式看板およびその管理方法に関するものである。
【背景技術】
【０００２】
従来、内照式看板の照明光源として、蛍光灯等が用いられてきたが、近年では、特許文献１のように、消費電力や寿命等の点で優れているＬＥＤ（Light Emitting Diode：発光ダイオード）が用いられるようになってきた。
【０００３】
以下、従来の内照式看板とその問題点について説明する。
【０００４】
図８は、従来の内照式看板の構成を表す側面概念図である。同図に示す内照式看板４０は、表示スクリーン４２と、これを裏面側から照明する面状照明装置４４と、表示スクリーン４２および面状照明装置４４を支持する支持基盤４６と、電源装置４８とによって構成されている。この例の面状照明装置４４は、図９に示すように、横４×縦２＝８つの領域に分割された８つのＬＥＤパネル５０を備えており、各々のＬＥＤパネル５０は、それぞれ対応するブレーカ５８を介して電源装置４８に接続されている。
【０００５】
ここで、表示スクリーン４２の下段左側から２番目の領域に対応するＬＥＤパネル５０が故障し、故障したＬＥＤパネル５０への電力の供給がブレーカ５８によって遮断された場合、図１０に示すように、故障したＬＥＤパネル５０に対応する表示スクリーン４２の領域が照明されなくなる。この場合、故障したＬＥＤパネル５０に対応する表示スクリーン４２の領域と他の領域との照度の違いは、１つ当たりのＬＥＤパネル５０のサイズが大きいほど目立つ。
【０００６】
これに対し、ＬＥＤパネル５０の個数を増やし、１つ当たりのＬＥＤパネル５０のサイズを小さくすることにより上記問題を改善することが考えられる。しかし、ＬＥＤパネル５０の個数が増えるに従ってブレーカ５８の個数も増えるため、ブレーカ５８を収納する電源装置４８のサイズが大きくなるという問題点があった。この問題は、特に、表示スクリーン４２のサイズが大きくなり、ＬＥＤパネル５０の個数が多くなるにつれて深刻化する。
【０００７】
また、従来の内照式看板４０には、表示スクリーン４２と面状照明装置４４との間の距離が最適化されていないという問題があった。例えば、両者の間の距離が非常に近い場合、表示スクリーン４２には、図１１に黒点で示すように、ＬＥＤパネル５０を構成する個々のＬＥＤ５６の照射像（点光源である各々のＬＥＤに対応するドット）が照度ムラとして表示される。一方、両者の距離が遠くなると、照度が低下するとともに、内照式看板４０のサイズも大きくなる（厚さが厚くなる）という問題等がある。
【０００８】
さらに、従来の内照式看板４０では、故障したＬＥＤパネル５０を交換する場合、表示スクリーン４２を外して前面側からＬＥＤパネル５０の交換作業が行われていた。しかし、例えば、屋上広告塔等のように、限られた設置スペースに巨大な内照式看板４０が設置されている場合、表示スクリーン４２の前面側に作業スペースがない、表示スクリーン４２の着脱にクレーン車等が必要になり手間とコストが掛かる等の問題があった。
【０００９】
ここで、本発明に関連性のある先行技術文献として、特許文献２〜４がある。
【００１０】
特許文献２は、点状光源である複数のＬＥＤがモジュール化され、マトリックス状に配列された内照式のライトボックスに関するものである。同文献には、収納凹部内に配置されたＬＥＤから出射される光の入射角が０°であって３５０ｍｍの距離をおいた場合の輝度を１５０００ｃｄ／ｍ２以下とすることにより、表面照度にムラが発生することを抑制することが開示されている。
【００１１】
特許文献３は、ＬＥＤ光源を内蔵したフィルム状又はシート状の面発光体及びこの面発光体を使用した内照式看板に関するものである。同文献には、発光角度が６０°〜１２０°の広角発光ＬＥＤチップを上下・左右均等に並べて面発光体を構成し、面発光体と看板画像面の距離をＬＥＤの設置間隔に応じて離すことにより、発散する光を均一にすることが開示されている。
【００１２】
特許文献４は、発光ダイオードを光源とする表示装置およびその光源に関するものである。同文献には、光源部として、２個のＬＥＤと１個の定電流ダイオードを直列結線したブロックを短冊状の基板に直列に配列し、８ブロック分、並列に電源供給を可能とすることにより、８ブロックについて、ブロック単位で基板を切断して使用できるようにすることが開示されている。
【先行技術文献】
【特許文献】
【００１３】
【特許文献１】実用新案登録第３０９５９４０号
【特許文献２】特開２００８−２７０１４４号公報
【特許文献３】特開２００７−３３６６２号公報
【特許文献４】特開２００６−５８８２８号公報
【発明の概要】
【発明が解決しようとする課題】
【００１４】
本発明の第１の目的は、ＬＥＤパネルが故障した場合でも、表示スクリーン上での照度の違いを極力低減させることができるとともに、電源装置のサイズを小型化することができる内照式看板を提供することにある。
本発明の第２の目的は、上記第１の目的に加えて、さらに、表示スクリーンと面状照明装置との間の距離が最適化され、照度ムラがなく、最適な照度を得ることができる内照式看板を提供することにある。
本発明の第３の目的は、故障したＬＥＤパネルの交換作業を容易に行うことができる内照式看板の管理方法を提供することにある。
【課題を解決するための手段】
【００１５】
上記目的を達成するために、本発明は、表面に画像が表示された透光性を有する表示スクリーンと、
前記表示スクリーンを着脱自在に支持する支持基盤と、
第１の方向に複数のＬＥＤが配列された長尺のＬＥＤパネルを、前記第１の方向に直交する第２の方向に複数配置して構成され、前記支持基盤に固定され、前記表示スクリーンを裏面側から照明する面状照明装置と、
前記面状照明装置の複数のＬＥＤパネルにブレーカを介して電力を供給する電源装置とを備え、
各々隣接していない２以上のＬＥＤパネルを１つの組として複数の組が作成され、前記ブレーカが前記作成された複数の組の各々に対応して設けられていることを特徴とする内照式看板を提供するものである。
【００１６】
ここで、前記複数のＬＥＤがマトリックス状に配置されており、
前記ＬＥＤから前記表示スクリーンに垂直な方向を軸として、前記ＬＥＤから照射された光が前記軸を中心として円錐状に広がる空間を立体角とし、前記ＬＥＤから照射された光の、前記表示スクリーンにおける相対光度が所定の値となる場合の立体角で円錐状に広がる空間が対角線上に位置する２つのＬＥＤの間で交差する位置に、前記表示スクリーンが配置されていることが好ましい。
【００１７】
また、各々の前記ＬＥＤパネルの前記ＬＥＤが配列されていない側の面が、前記支持基盤の前記第２の方向に延びる支持部材にパネル固定具で固定されていることが好ましい。
【００１８】
また、本発明は、上記に記載の内照式看板のＬＥＤパネルを交換するに際し、
前記交換するＬＥＤパネルの前記パネル固定具を前記支持部材から外し、該交換するＬＥＤパネルを前記第１の方向に沿って第１の向きに移動させて前記支持基盤から取り外し、
新たなＬＥＤパネルを前記第１の方向に沿って前記第１の方向とは反対の第２の向きに移動させて前記交換するＬＥＤパネルが配置されていた位置に配置し、前記パネル固定具で前記支持部材に固定することを特徴とする内照式看板の管理方法を提供する。
【発明の効果】
【００１９】
本発明の内照式看板によれば、ＬＥＤパネルが部分的に消灯された場合でも、表示スクリーン上での照度の違いを極力低減させることができるとともに、ブレーカの個数を大幅に削減することができ、電源装置のサイズを小型化することができる。
【００２０】
また、本発明の内照式看板によれば、表示スクリーンと面状照明装置との間の距離が最適化されているため、照度ムラなく最適な照度を得ることができ、しかも、内照式看板のサイズを必要最小限の最適化されたサイズ（厚さ）にすることができる。
【００２１】
さらに、本発明の内照式看板の管理方法によれば、表示スクリーンの前面側に作業スペースがない場合であっても交換作業を容易に行うことができる。また、クレーン車等も不要であり、手間もコストも削減できるという利点がある。
【図面の簡単な説明】
【００２２】
【図１】本発明の内照式看板の構成を表す一実施形態の側面概念図である。
【図２】図１に示す面状照明装置のＬＥＤが配置された側の面の構成を表す概念図である。
【図３】図１に示す面状照明装置のＬＥＤが配置されていない側の面の構成を表す概念図である。
【図４】図２および図３に示すＬＥＤパネルを構成するＬＥＤモジュールの構成を表す概念図である。
【図５】図１に示す内照式看板において、ＬＥＤパネルのうちの１つが故障した場合の様子を表す概念図である。
【図６】図２および図３に示す面状照明装置を構成するＬＥＤの配光曲線を表すグラフである。
【図７】（Ａ）および（Ｂ）は、表示スクリーンと面状照明装置との間の距離の関係を表す概念図である。
【図８】従来の内照式看板の構成を表す側面概念図である。
【図９】図８に示す面状照明装置の構成を表す概念図である。
【図１０】図８に示す内照式看板において、ＬＥＤパネルのうちの１つが故障した場合の様子を表す概念図である。
【図１１】表示スクリーンと面状照明装置との間の距離が非常に近い場合の様子を表す概念図である。
【発明を実施するための形態】
【００２３】
以下に、添付の図面に示す好適実施形態に基づいて、本発明の内照式看板およびその管理方法を詳細に説明する。
【００２４】
図１は、本発明の内照式看板の構成を表す一実施形態の側面概念図である。図１に示す内照式看板１０は、表示スクリーン１２と、面状照明装置１４と、支持基盤１６と、電源装置１８とによって構成されている。
【００２５】
表示スクリーン１２は、照明光を透過させる透光性を有する所定サイズの矩形のものであり、支持基盤１６に着脱自在に支持されている。また、表示スクリーン１２は、面状照明装置１４のＬＥＤが配列された側の面（図１中、面状照明装置１４の左側の面）から所定の間隔を空けて配置されている。表示スクリーン１２には、看板となる画像が表面（同表示スクリーン１２の左側の面）に表示されている。表示スクリーン１２表面の画像は、例えば、インクジェットプリンタ等によって印刷することができる。
【００２６】
面状照明装置１４は、複数の疑似白色ＬＥＤ２６をマトリックス状に配置して構成された、表示スクリーン１２の外形と同等のサイズの矩形の面状光源であり、支持基盤１６に固定されている。面状照明装置１４は、電源装置１８からブレーカ２８を介して電力の供給を受けて、表示スクリーン１２を裏面側（同表示スクリーン１２の右側の面）から照明する。面状照明装置１６の詳細については後述する。
【００２７】
支持基盤１６は、前述のように、表示スクリーン１２および面状照明装置１４を支持する設置台となるものである。支持基盤１６は、図３に示すように、表示スクリーン１２や面状照明装置１４の外形と同等のサイズの矩形の枠体３０と、枠体３０の上下方向および左右方向の辺を各々接続するように配設された支持部材（図３中、上下方向の辺を接続する支持部材は省略）３２とによって構成されている。
【００２８】
ＬＥＤユニット２４は、さまざまな形式のものが選択できるが、たとえばＤＣ（直流）電源で電力を供給される形式の場合には、電源装置１８は、ＡＣ（交流）電源をＤＣ（直流）電源に変換し、面状照明装置１４にブレーカ２８を介して電力（ＤＣ電源）を供給するものである。一方、ＬＥＤユニット２４が、ＡＣ（交流）電源にて電力を供給される形式の場合には、電源装置１８は商用電源等から交流電圧のまま交流電力をブレーカ２８を介して供給すればよいことは勿論である。また、電源装置１８は、ソーラー式タイムスイッチ（図示省略）を備えており、日入時刻に合わせて電力を供給し、日出時刻に合わせて電力の供給を遮断する。つまり、面状照明装置１４は、日入時刻に合わせて点灯され、日出時刻に合わせて消灯される。
【００２９】
次に、面状照明装置１４について詳しく説明する。
【００３０】
図２は、図１に示す面状照明装置のＬＥＤが配置された側の面（図１中、左側の面）の構成を表す概念図である。同図に示すように、面状照明装置１４は、第１の方向（図２中、上下方向）に延びる複数の長尺のＬＥＤパネル２０によって構成されている。これら複数のＬＥＤパネル２０は、第１の方向と直交する第２の方向（同左右方向）に等間隔に配置されている。
【００３１】
また、各々のＬＥＤパネル２０は、複数のＬＥＤモジュール２２を、第１の方向に等間隔に配置して構成され、各々のＬＥＤモジュール２２は、図４に示すように、複数のＬＥＤユニット２４を、第１の方向に等間隔に配置して構成されている。さらに、ＬＥＤユニット２４は、同図４に示すように、４つのＬＥＤ２６を、第１および第２の方向にそれぞれ２つずつマトリックス状に等間隔に配置して構成されている。
【００３２】
面状照明装置１４では、全てのＬＥＤ２６が等間隔に配置されるように、複数のＬＥＤパネル２０が第２の方向に所定の間隔を空けて配置され、各々のＬＥＤパネル２０において、複数のＬＥＤモジュール２２が第１の方向に所定の間隔を空けて配置され、複数のＬＥＤユニット２４も第１の方向に所定の間隔を空けて配置され、さらに、４つのＬＥＤ２６が第１および第２の方向にマトリックス状に等間隔に配置されている。
【００３３】
続いて、図３は、図１に示す面状照明装置のＬＥＤが配置されていない側の面（図１中、面状照明装置１４の右側の面）の構成を表す概念図である。また、同図には、支持基盤１６の枠体３０および第２の方向（図３中、左右方向）に延びる支持部材（第１の方向に延びる支持部材は省略）３２も示されている。同図に示すように、各々のＬＥＤパネル２０は、ＬＥＤが配列されていない側の面が、支持基盤１６の第２の方向に延びる複数の支持部材３２にパネル固定具３４で固定されている。
【００３４】
また、各々のＬＥＤパネル２０において、各々のＬＥＤユニット２４に含まれる４つのＬＥＤ２６は電気的に直列に接続され、各々のＬＥＤモジュール２２に含まれる複数のＬＥＤユニットも電気的に直列に接続され、さらに、ＬＥＤパネル２０に含まれる複数のＬＥＤモジュール２２も電気的に直列に接続されている。つまり、各々のＬＥＤパネル２０では、全てのＬＥＤ２６が電気的に直列に接続されている。
【００３５】
さらに、１つおきの位置に配置されている２つのＬＥＤパネル２０が、コネクタを介して電源配線で電気的に接続されている。そして、これらの電気的に接続された２つのＬＥＤパネル２０を１つの組として複数の組が作成され、作成された複数の組の各々に対応して１つずつブレーカ２８が設けられている。つまり、電源装置１８には、ＬＥＤパネル２０の個数の半分の個数のブレーカ２８が使用されている。
【００３６】
ここで、各々のＬＥＤパネル２０に１つずつブレーカ２８が設けられた場合、ＬＥＤパネル２０の個数が多くなると、これに応じて必要なブレーカ２８の個数も多くなり、電源装置１８のサイズが巨大化する。これに対し、上記のように、２つのＬＥＤパネル２０に対して１つのブレーカ２８を設けることにより、電源装置１８に収納されるブレーカ２８の個数を半減させることができ、電源装置１８のサイズをコンパクトにできるという利点がある。
【００３７】
また、図５に示すように、左から２番目のＬＥＤパネル２０が故障し、対応するブレーカ２８によって電源の供給が遮断された場合、このブレーカ２８に対応する２つのＬＥＤパネル２０による照明が消灯される（図５中、斜線部分のＬＥＤパネル２０）。このような場合でも、面状照明装置１４では、隣接するＬＥＤパネル２０の照明が同時に消灯されることがなく、大きな領域で消灯されることがないため、表示スクリーン１２に部分的に極端な照度の違いが生じることがないという利点がある。
【００３８】
次に、表示スクリーン１２と面状照明装置１４との間の間隔の設定方法について説明する。
【００３９】
図６は、面状照明装置を構成するＬＥＤの配光曲線を表すグラフである。このグラフの横軸は、ＬＥＤ２６の相対光度（％）、相対光度が０％の位置から放射状に延びる軸は、ＬＥＤ２６から照射される光の照射角度を表す。ここで、照射角度は、ＬＥＤパネル２０に平行な方向が０°、表示スクリーン１２に垂直な方向が９０°とされている。また、相対光度は、照射角度が９０°の場合のＬＥＤ２６の光度（ｃｄ）を１００％とした場合の各照射角度における光度を表す。
【００４０】
図６のグラフに示したように、例えば、相対光度が約８０％となるのは、照射角度が約５５°の場合であり、相対光度が約９０％となるのは、照射角度が約６５°の場合であることが分かる。
【００４１】
ここで、９０°から照射角度を減算した値（＝９０°−照射角度）を立体角と定義する。例えば、照射角度が５５°の場合の立体角は９０°−５５°＝３５°であり、照射角度が６５°の場合の立体角は９０°−６５°＝２５°である。立体角は、ＬＥＤ２６から表示スクリーン１２に垂直な方向を軸として、ＬＥＤ２６から照射された光が軸を中心として円錐状に広がる空間を表す。
【００４２】
続いて、図７（Ａ）および（Ｂ）は、表示スクリーンと面状照明装置との間の距離の関係を表す概念図である。同図（Ａ）に示すように、４つのＬＥＤ（ａ）、（ｂ）、（ｃ）および（ｄ）がマトリックス状に等間隔に配置された場合、隣接する２つのＬＥＤ（ａ）〜（ｂ）の間の距離を１００とすると、対角線上に位置する２つのＬＥＤ（ａ）〜（ｃ）の間の距離は１００√２となる。同図（Ｂ）には、対角線上に位置する２つのＬＥＤ（ａ）および（ｃ）を、対角線に垂直な方向の側面から見た場合の様子が示されている。
【００４３】
例えば、表示スクリーン１２における相対光度を約８０％としたい場合、前述のように、図６のグラフから照射角度が約５５°、つまり、立体角が約３５°であればよい。従って、図７（Ｂ）に示すように、対角線上に位置する２つのＬＥＤの間の距離を１００√２とし、立体角が約３５°であるとすると、表示スクリーン１２と面状照明装置１４との間の距離を約１００とすればよいことが分かる。
【００４４】
同様に、相対光度を約９０％としたい場合、照射角度が約６５°、つまり、立体角が約２５°であればよいので、両者の間の距離を約１５０とすればよいことが分かる。つまり、ＬＥＤ２６から照射された光の、表示スクリーン１２における相対光度が所定の値となる場合の立体角で円錐状に広がる空間が対角線上に位置する２つのＬＥＤの間で交差する位置に、表示スクリーン１２を配置することが望ましい。
【００４５】
上記のように、表示スクリーン１２と面状照明装置１４との間の距離が最適化されていることによって、照度ムラなく最適な照度を得ることができ、しかも、内照式看板１０のサイズ（厚さ）を必要最小限の最適化されたサイズにすることができる。
【００４６】
次に、本発明の内照式看板の管理方法に従って、ＬＥＤパネル２０を交換する際の作用について説明する。
【００４７】
ＬＥＤパネル２０を交換する場合、表示スクリーン１２を外し、面状照明装置１４の前面側からＬＥＤパネル２０を交換することができる。しかし、例えば、屋上広告塔等のように、限られた設置スペースに巨大な内照式看板が設置されている場合、表示スクリーン１２の前面側に作業スペースがない、表示スクリーン１２の着脱にクレーン車等が必要になり手間とコストが掛かる等の問題があることは既に述べた通りである。
【００４８】
従って、内照式看板１０では、面状照明装置１４の裏面側からＬＥＤパネル２０の交換を行う。しかし、面状照明装置１４の各々のＬＥＤパネル２０のＬＥＤが配列されていない側の面は、支持基盤１６の第２の方向に延びる支持部材３２にパネル固定具３４で固定されている。つまり、支持部材３２が障害となって、交換するＬＥＤパネル２０を、面状照明装置１６の裏面に垂直な方向へ移動させることはできないので、以下の手順に従ってＬＥＤパネル２０の交換を行う。
【００４９】
まず、交換するＬＥＤパネル２０のパネル固定具３４を支持部材３２から外し、ＬＥＤパネル２０のコネクタの部分から電源配線を外す。これにより、交換するＬＥＤパネル２０は、第１の方向に沿って移動可能な状態となる。なお、ＬＥＤパネル２０の長手方向の上下端部近傍には、ＬＥＤパネル２０を支持基盤１６の枠体３０に引っ掛けて保持し、パネル固定具３４を支持部材３２から外した時にＬＥＤパネル２０が自重で落ちるのを防止するためのフックが設けられていることが望ましい。
【００５０】
続いて、交換するＬＥＤパネル２０を第１の方向に沿って、例えば下向きに移動（スライド）させて支持基盤１６から取り外す。この時、支持基盤１６の枠体３０や設置面が障害となって、交換するＬＥＤパネル２０を第１の方向に沿って移動させることが難しい場合、ＬＥＤパネル２０の引出先端部を支持基盤１６側へ撓ませてからＬＥＤパネル２０を移動させることができる。この場合、ＬＥＤパネル２０は可撓性のある材質のものであることが望ましい。
【００５１】
次いで、新たなＬＥＤパネル２０を第１の方向に沿って、例えば上向きに移動させて、交換するＬＥＤパネル２０が配置されていた位置に配置する。そして、新たなＬＥＤパネル２０にコネクタの部分で電源配線を接続し、パネル固定具３４で支持部材３２に固定する。
【００５２】
上記のＬＥＤパネル２０の交換方法であれば、表示スクリーン１２の前面側に作業スペースがない場合であっても交換作業を容易に行うことができる。また、クレーン車等も不要であり、手間もコストも削減できるという利点がある。
【００５３】
なお、本発明は、屋上広告塔のように、表示スクリーンのサイズが大きく、従って、面状照明装置の分割数が多くなる可能性が高いほど適用時の効果も大きい。しかし、本発明は屋上広告塔に限らず、袖看板や壁面看板等の各種の看板にも適用できる。
【００５４】
また、ＬＥＤパネルをＬＥＤモジュールに分割することは必須ではないし、逆に、ＬＥＤパネルを複数のＬＥＤモジュールに分割する場合、その分割数に制限はない。ＬＥＤモジュール、ＬＥＤユニット、およびＬＥＤの間の関係も同様である。
【００５５】
また、１つおきの位置に配置されている２つのＬＥＤパネルを１つの組とすることに限定されず、例えば、２つおき、３つおきとしてもよいし、左端のＬＥＤパネルと右端のＬＥＤパネル、左から２番目のＬＥＤパネルと右から２番目のＬＥＤパネルというように、左側および右側から同じ順番のＬＥＤパネルを１つの組としてもよいし、任意のパターンに従ってＬＥＤパネルの組を決めることができる。また、２以上の任意の個数のＬＥＤパネルを１つの組としてもよい。
【００５６】
以上、本発明について詳細に説明したが、本発明は上記実施形態に限定されず、本発明の主旨を逸脱しない範囲において、種々の改良や変更をしてもよいのはもちろんである。
【符号の説明】
【００５７】
１０、４０  内照式看板
１２、４２  表示スクリーン
１４、４４  面状照明装置
１６、４６  支持基盤
１８、４８  電源装置
２０、５０  ＬＥＤパネル
２２  ＬＥＤモジュール
２４  ＬＥＤユニット
２６、５６  ＬＥＤ
２８、５８  ブレーカ
３０  枠体
３２  支持部材
３４  パネル固定具
【図１】
2011065062.tif 000003
【図２】
2011065062.tif 000004
【図３】
2011065062.tif 000005
【図４】
2011065062.tif 000006
【図５】
2011065062.tif 000007
【図６】
2011065062.tif 000008
【図７】
2011065062.tif 000009
【図８】
2011065062.tif 000010
【図９】
2011065062.tif 000011
【図１０】
2011065062.tif 000012
【図１１】
2011065062.tif 000013